(57)【要約】【課題】  歯科用印象材料攪拌機の伝動防振装置の提供。【解決手段】  伝動アセンブリ１中に少なくとも一つの制圧装置３が増設されて、該制圧装置３が続けてベルト１２を制圧し、これらベルト１２の高速回転下でのプーリ１３からの離脱を防止し、並びに該引っ張りバネ２０によりモータ１１の運転により発生する振動を吸収し、これにより攪拌機の攪拌作業の順調度と防振効果を維持する。【選択図】        図３
0003116000.tif 000002
【実用新案登録請求の範囲】
【請求項１】
伝動防振装置が伝動アセンブリをモータにより駆動するものとされた歯科用印象材料攪拌機の伝動防振装置歯科用印象材料攪拌機の伝動防振装置において、
該伝動防振装置が、
少なくとも一組の制圧装置であって、該制圧装置は制圧輪、軸棒及び載置片で構成され、該軸棒が載置片の上に配置され、該制圧輪が軸棒に設置され、且つ続けて該伝動防振装置上を制圧し、該伝動防振装置の高速回転下での攪拌機の伝動防振装置の不安定を防止する、上記少なくとも一組の制圧装置と、
支持アセンブリであって、複数の引っ張りバネにより近隣の対応する支持柱及びモータに配置された固定部品の間に接続され、これら支持柱の末端に底板が設けられ、これら支持柱が位置制限板を貫通し並びにこれら支持柱の中段部分に固定され、位置制限板が中央開口を具え、これら引っ張りバネの弾性引き伸ばしによりモータが位置制限板の中央開口内に位置制限され、並びに底板の上に懸置された、上記支持アセンブリと、
を更に包含したことを特徴とする、歯科用印象材料攪拌機の伝動防振装置。
【請求項２】
請求項１記載の歯科用印象材料攪拌機の伝動防振装置において、載置片上にストリップ状の滑り溝が設けられ、軸棒中段部分に位置決めリングが設けられて該滑り溝に係止され、該軸棒が滑り溝の異なる位置に固定可能とされ、これにより制圧輪の位置が調整され、位置決めリング以下の軸棒にネジ山が設けられ、並びにナットが螺合されて、該軸棒が該載置片に固定されたことを特徴とする、歯科用印象材料攪拌機の伝動防振装置。
【請求項３】
請求項１記載の歯科用印象材料攪拌機の伝動防振装置において、支持柱の上端近くと末端近くに凹部が設けられ、各引っ張りバネの一端が凹部に係止され、且つ支持柱の末端が複数の固定部品で底板に固定されたことを特徴とする、歯科用印象材料攪拌機の伝動防振装置。
【考案の詳細な説明】
【技術分野】
【０００１】
本考案は一種の伝動構造に係り、特に一種の歯科用印象材料攪拌機の伝動防振装置に関する。
【背景技術】
【０００２】
歯医者で義歯を作る時には先ず患者の歯型で印象を作り、更に印象から義歯を作る。この印象の材料は一般には印象粉或いは石膏とされ、並びに材料に水を加えて均一に攪拌して粘ちょう状とした後に使用する。前述の材料はある時間内に凝固定形し、これにより、使用者が手で攪拌できる時間は有限であり、印象材料料を均一に攪拌することができず、並びに手で攪拌する方式は力が必要で材料内部に気泡を残しやすく、形成した印象に気孔が形成されて粗い表面が形成され、義歯製品の品質に大きな影響を与える。
【０００３】
歯科用印象材料攪拌機の攪拌方式が手動であることの問題を鑑み、図１、２に示されるような歯科用印象材料攪拌機が提供されており、それは伝動装置の補助により、攪拌機内部のモータが起動する時、Ｖ形フレーム上に軸で設けられた収容溝及び収容カップが反対方向に回転し、印象材料の攪拌の目的を達成する。注意すべきことは、現在ある伝動装置は、遊星歯車系に類似の相互噛み合い方式とされるか（特許文献１）、或いはベルトを複数のプーリの周囲に繞設する方式とされる。上述のプーリとベルトの組合せの伝動装置は高速回転下でベルトがプーリより離脱しやすく、攪拌機の攪拌作業に影響を与える。
【０００４】
また、このような攪拌機の収容溝と収容カップが複数の歯車の駆動を受けて相反する方向に高速回転し、高速回転は、モータにより提供される回転の運動エネルギーに依存する。モータは矩形の座体上に懸置され、座体の４つの角部に上向きに垂直に延伸された支柱が設けられ、引っ張りバネが支柱の固定部品とモータ上部の固定部品に係止され、モータとその上端の各部品が座体上方に宙づりとされ、並びに引っ張りバネの弾力引っ張りにより防振効果を達成している。しかし、上述の引っ張りバネは僅かにモータ上部と座体を連結しているだけであり、モータ運転時にモータ底部は制限を受けず、過度にぐらつき、このためモータ及びそれに取り付けられた各部品の作動時の安定性に影響を与える。
【０００５】
【特許文献１】台湾特許公告第２７４７４１号明細書
【考案の開示】
【考案が解決しようとする課題】
【０００６】
本考案の主要な目的は、制圧装置を提供して、攪拌機の高速回転下で伝動アセンブリのベルトがその繞設されたプーリから離脱しないようにすることにある。
【０００７】
本考案の次の目的は、歯科用印象材攪拌機の伝動防振装置に支持アセンブリを設けて、それに各部品が作動時に発生する振動を吸収させ、防振目的を達成できるようにすることにある。
【課題を解決するための手段】
【０００８】
請求項１の考案は、伝動防振装置が伝動アセンブリをモータにより駆動するものとされた歯科用印象材料攪拌機の伝動防振装置歯科用印象材料攪拌機の伝動防振装置において、  該伝動防振装置が、
少なくとも一組の制圧装置であって、該制圧装置は制圧輪、軸棒及び載置片で構成され、該軸棒が載置片の上に配置され、該制圧輪が軸棒に設置され、且つ続けて該伝動防振装置上を制圧し、該伝動防振装置の高速回転下での攪拌機の伝動防振装置の不安定を防止する、上記少なくとも一組の制圧装置と、
支持アセンブリであって、複数の引っ張りバネにより近隣の対応する支持柱及びモータに配置された固定部品の間に接続され、これら支持柱の末端に底板が設けられ、これら支持柱が位置制限板を貫通し並びにこれら支持柱の中段部分に固定され、位置制限板が中央開口を具え、これら引っ張りバネの弾性引き伸ばしによりモータが位置制限板の中央開口内に位置制限され、並びに底板の上に懸置された、上記支持アセンブリと、
を更に包含したことを特徴とする、歯科用印象材料攪拌機の伝動防振装置としている。
請求項２の考案は、請求項１記載の歯科用印象材料攪拌機の伝動防振装置において、載置片上にストリップ状の滑り溝が設けられ、軸棒中段部分に位置決めリングが設けられて該滑り溝に係止され、該軸棒が滑り溝の異なる位置に固定可能とされ、これにより制圧輪の位置が調整され、位置決めリング以下の軸棒にネジ山が設けられ、並びにナットが螺合されて、該軸棒が該載置片に固定されたことを特徴とする、歯科用印象材料攪拌機の伝動防振装置としている。
請求項３の考案は、請求項１記載の歯科用印象材料攪拌機の伝動防振装置において、支持柱の上端近くと末端近くに凹部が設けられ、各引っ張りバネの一端が凹部に係止され、且つ支持柱の末端が複数の固定部品で底板に固定されたことを特徴とする、歯科用印象材料攪拌機の伝動防振装置としている。
【考案の効果】
【０００９】
総合すると、本考案の歯科用印象材料攪拌機の伝動防振装置は、伝動アセンブリ中に少なくとも一つの制圧装置が増設されて、該制圧装置が続けてベルトを制圧し、これらベルトの高速回転下でのプーリからの離脱を防止し、並びに該引っ張りバネによりモータの運転により発生する振動を吸収し、これにより攪拌機の攪拌作業の順調度と防振効果を維持する。
【考案を実施するための最良の形態】
【００１０】
図３に示されるように、本考案の歯科用印象材攪拌機の伝動防振装置によると、伝動アセンブリ１がモータ１１により伝動防振装置を駆動し、該伝動アセンブリ１はベルト１２とプーリ１３で構成され、該ベルト１２は対応するプーリ１３に嵌合され、並びに上述のプーリ１３はＶ形フレーム１４に軸着され、このＶ形フレーム１４上に収容溝１５と収容溝１５内に位置する収容カップ１６が設けられ、且つこのＶ形フレーム１４はモータ６２の回転軸１１１に取り付けられ、該ベルト１２はプーリ１３の周囲の繞設され、且つそのうちベルト１２は更に収容カップ１６の周囲に繞設され、モータ１１が駆動される時、該モータ１１の回転軸１１１がＶ形フレーム１４を回転させ、並びにベルト１２及びプーリ１３の相互に協動により、Ｖ形フレーム１４上の収容溝１５と収容カップ１６が相反する方向に回転する。伝動アセンブリ１に少なくとも一組の制圧装置３が設けられ、図５に示されるように、該制圧装置３は、制圧輪３１、軸棒３２及び載置片３５で構成され、該載置片３５はＶ形フレーム１４上に配置され、且つ軸棒３２は載置片３５上に配置され、制圧輪３１は軸棒３２に取り付けられ、並びにつづてベルト１２を制圧し、ベルト１２の高速回転下でのプーリ１３からの離脱を防止する。且つ載置片３５はＬ形の片体とされ、且つ載置片３５に滑り溝３６が開設され、軸棒３２の中段部分に位置決めリング３３ａがあり、この位置決めリング３３ａは該滑り溝３６に係止され、且つ位置決めリング３３ａ以下の軸棒３２表面にネジ山３３ｂが設けられ、並びにナット３４の螺合により、軸棒３２が載置片３５に固定される。このほか、該載置片３５上の滑り溝３６はストリップ状の滑り溝３６とされ、この滑り溝３６の延伸方向はベルト１２の延伸方向と相互に垂直であり、その取り付け時には軸棒３２が滑り溝３６の異なる位置に固定されることにより、制圧輪３１の位置が調製され、制圧輪３１のベルト１２に対する制圧力が調製される。このほか、図４に示されるように、本実施例中、制圧装置３は二組採用され並びに収容カップ１６の周囲に繞設されたベルト１２を制圧する。しかし、この技術に詳しい者であれば分かるように、制圧装置３の数量に制限はなく、実際の必要により単一のベルト１２の傍らに一つ或いは複数の制圧装置３を配置するか、或いは複数のベルト１２の傍らに一つ或いは複数の制圧装置３を配置することが可能である。
【００１１】
このほか、上述の実施例中、歯科用印象材攪拌機の伝動防振装置は、伝動アセンブリ１が複数の引っ張りバネ２０を具えた支持アセンブリ２と組み合わせて使用され、複数の引っ張りバネ２０の一端部はモータ１１の上部の固定部品２４ａと底部の固定部品２４ｂに接続され、その別端は近隣のそれに対応する支持柱２１に固定され、該支持柱２１の上端と末端近くに凹部２１２ａ、２１２ｂがあり、各引っ張りバネ２０の一端は凹部２１２ａ、２１２ｂに係止され、且つこれら支持柱２１は位置制限板２２を貫通し並びにこれら支持柱２１は位置制限板２２を貫通し並びにこれら支持柱２１の中段部分に固定され、位置制限板２２は中央開口を具え、これら引っ張りバネ２０の弾力引っ張りにより、モータ１１が該位置制限板２２の中央開口内に制限され、並びに底板２３の上に懸置される。
【００１２】
総合すると、本考案の歯科用印象材料攪拌機の伝動防振装置は、伝動アセンブリ１中に少なくとも一つの制圧装置３が増設されて、該制圧装置３が続けてベルト１２を制圧し、これらベルト１２の高速回転下でのプーリ１３からの離脱を防止し、並びに該引っ張りバネ２０によりモータ１１の運転により発生する振動を吸収し、これにより攪拌機の攪拌作業の順調度と防振効果を維持する。
【図面の簡単な説明】
【００１３】
【図１】周知の印象材料攪拌機の立体図である。
【図２】周知の印象材料攪拌機の側面図である。
【図３】本考案の側面図である。
【図４】本考案の部分組合せ表示図である。
【図５】本考案の制圧装置の分解図である。
【符号の説明】
【００１４】
１  伝動アセンブリ
１１  モータ
１２  ベルト
１３  プーリ
１４  Ｖ形フレーム
１５  収容溝
１６  収容カップ
１１１  回転軸
３  制圧装置
３１  制圧輪
３２  軸棒
３５  載置片
３６  滑り溝
３３ａ  位置決めリング
３３ｂ  ネジ山
３４  ナット
２  支持アセンブリ
２０  引っ張りバネ
２４ａ、２４ｂ  固定部品
２１  支持柱
２１２ａ、２１２ｂ  凹部
２２  位置制限板
２３  底板
【図１】
0003116000.tif 000003
【図２】
0003116000.tif 000004
【図３】
0003116000.tif 000005
【図４】
0003116000.tif 000006
【図５】
0003116000.tif 000007